(57)【特許請求の範囲】
【請求項１】
放電灯を点灯させる始動パルスを発生させ始動パルスを放電灯に印加するパルス発生回路と、
パルス発生回路が放電灯に印加する始動パルスのパルス発生頻度を制御する制御回路と、
上記放電灯が点灯したことを検出する点灯検出回路とを備え、
上記制御回路は、
以下の要素を具備し、過去において、放電灯が点灯した場合のパルス発生頻度を記憶し、記憶したパルス発生頻度を用いてパルス発生回路の始動パルスの発生を制御することを特徴とする放電灯点灯装置。
（ａ）パルス発生頻度を記憶する点灯時パルス発生頻度メモリ；
（ｂ）パルス発生頻度を入力し、入力したパルス発生頻度から徐々にそれ以上のパルス発生頻度となるようにパルス発生数を増加させるパルス発生回路駆動信号を発生させ、パルス発生回路駆動信号をパルス発生回路へ供給するパルス発生数制御部；
（ｃ）放電灯の点灯を開始する場合に、上記点灯時パルス発生頻度メモリに記憶されたパルス発生頻度を入力し、パルス発生数制御部に出力するとともに、上記点灯検出回路が放電灯の点灯を検出した場合に、放電灯の点灯時にパルス発生数制御部が用いていたパルス発生頻度を点灯時パルス発生頻度メモリに記憶させる頻度設定部。
【請求項２】
上記放電灯点灯装置は、更に、所定の周期で放電灯を駆動するインバータ回路を備え、
上記制御回路は、上記インバータ回路の用いている所定の周期の半周期内で始動パルスの発生間隔が均等になるようにパルス発生回路の始動パルスの発生を制御することを特徴とする請求項１記載の放電灯点灯装置。
【請求項３】
上記制御回路は、更に、点灯時パルス発生頻度メモリに記憶されたパルス発生頻度をリセットするリセットスイッチを備えたことを特徴とする請求項１記載の放電灯点灯装置。
【請求項４】
上記頻度設定部は、放電灯が所定の期間内に点灯した場合に、点灯時パルス発生頻度メモリに記憶させる上記パルス発生頻度の値を小さくすることを特徴とする請求項１記載の放電灯点灯装置。
【発明の詳細な説明】
【０００１】
【発明の属する技術分野】
この発明は、高圧放電灯を点灯する点灯装置に関するものである。特に、高圧放電灯を点灯する場合に、高圧パルスを短時間印加することにより高圧放電灯を迅速に点灯することができる装置を提供するものである。
【０００２】
【従来の技術】
図６は、特開平４−２９８９９７号公報に記載された従来の放電ランプ点灯回路を示す図である。
以下、特開平４−２９８９９７号公報に記載された文章を引用して図６を説明する。
【０００３】
商用交流電源Ｅには、整流回路１が接続され、この整流回路１の出力側には、平滑用のコンデンサＣ１、チョッパ用の電界効果トランジスタＦＥＴ、平滑用のインダクタＬ１を介して、フルブリッジ型のインバータ回路３が接続されている。
【０００４】
このフルブリッジ型のインバータ回路３は、４つのトランジスタＱ１，Ｑ２，Ｑ３，Ｑ４がブリッジ状に構成され、トランジスタＱ１及びトランジスタＱ２の接続点と、トランジスタＱ３及びトランジスタＱ４の接続点の間には、パルストランスＰＴの出力巻線ＰＴ２及び放電ランプＨＩＤの直列回路が接続されている。また、インダクタＬ１を介したインバータ回路３には還流用のダイオードＤ１が接続されており、整流回路１の出力側には駆動回路４が接続され、この駆動回路４にて各トランジスタＱ１，Ｑ２，Ｑ３，Ｑ４を制御している。
【０００５】
更に、整流回路１には、パルス制御回路６が接続されている。このパルス制御回路６は、電界効果トランジスタＦＥＴ及びインダクタＬ１を介して整流回路１の出力端間に抵抗Ｒ２及びサイリスタＴｈの直列回路が接続されている。このサイリスタＴｈのゲート、カソード間に抵抗Ｒ３が接続され、アノード、カソード間にはコンデンサＣ６及びパルストランスＰＴの入力巻線ＰＴ１の直列回路が接続されている。そして、トランジスタＱ３及びトランジスタＱ４の接続点とサイリスタＴｈのゲートとの間には、抵抗Ｒ４，Ｒ５、コンデンサＣ７及びダイアックＤａが接続されている。そして、この制御回路６は、低電位側のトランジスタＱ４の両端電位に応動するようになっている。
【０００６】
次に、上記実施例の動作について説明する。
まず、商用交流電源Ｅの電力は整流回路１で整流され、コンデンサＣ１及びインダクタＬ１で平滑されてインバータ回路３に電力が供給される。
なお、チョッパ制御回路２で電界効果トランジスタＦＥＴをチョッパ制御して、インバータ回路３への電力を可変制御する。
【０００７】
この状態で、トランジスタＱ１及びトランジスタＱ４のベースにベース電流を供給し、トランジスタＱ１及びトランジスタＱ４をオンさせて、トランジスタＱ１、パルストランスＰＴ、放電ランプＨＩＤ及びトランジスタＱ４の経路で電流を供給し、次に、トランジスタＱ１及びトランジスタＱ４をオフさせて、トランジスタＱ３及びトランジスタＱ２のベースにベース電流を供給し、トランジスタＱ３及びトランジスタＱ２をオンさせて、トランジスタＱ３、放電ランプＨＩＤ、パルストランスＰＴ及びトランジスタＱ２の経路で電流を供給し、この動作を約４００Ｈｚで行う。
【０００８】
そして、図７に示すように、トランジスタＱ４がオフの状態では、抵抗Ｒ４を介してコンデンサＣ７を充電し、コンデンサＣ７の電圧が所定電圧以上になると、ダイアックＤａがオンし、サイリスタＴｈをオンしてコンデンサＣ６の充電電荷をパルストランスＰＴの入力巻線ＰＴ１を介して急速に放電させる。これにより、パルス電圧を発生し、更に、出力巻線ＰＴ２にて昇圧して放電ランプＨＩＤにパルスを印加する。これにより、放電ランプＨＩＤにグロー放電を行わせ、効率よくグロー放電からアーク放電に移行させる。
一方、トランジスタＱ４がオンの状態では抵抗Ｒ４側に電流が流れず、コンデンサＣ７を充電せず、ダイアックＤａがオフ状態で、サイリスタＴｈもオフ状態を保持し、パルストランスＰＴにパルスを発生させない。
【０００９】
放電ランプＨＩＤの点灯後は、ランプ電圧の低下に伴ってトランジスタＱ４の両端電圧も低下するからダイアックＤａがオンせず、従って、パルスの発生を確実に停止する。この場合、パルス制御回路６を低電位側のトランジスタＱ４の両端に接続して、トランジスタＱ４の両端電圧は応動するようにしているので、格別な絶縁手段を用いる必要がなく、構成を簡単にできる。
【００１０】
このように、特開平４−２９８９９７に示す構成のものは、商用電源を全波整流し、後段に供給する高圧放電灯電力を制限する限流回路を配し、更に、高圧放電灯に低周波の矩形波電力を供給するフルブリッジインバータ、高圧放電灯を始動するための高圧パルス発生回路を配置するものである。そして、高圧パルスの発生タイミングは、インバータの低周波信号に同期させている。
【００１１】
【発明が解決しようとする課題】
高圧放電灯では、外形、封入物質の組成、高圧放電灯の点灯時間等ににより放電を開始させるための始動パルスの印加数が異なる。そのため、従来は、ランプによってパルスのエネルギーが足りずに始動時間が遅くなるものがあった。しかし、高圧であるパルスを長い時間印加することはランプの電極の劣化、パルス発生装置の劣化等を引き起こす恐れがある。
【００１２】
本発明の点灯装置の目的は、個々のランプによって始動可能なパルス数が異なっていても、迅速に、かつ、ランプの電極や点灯回路にダメージを与えずに高圧放電灯を始動させようとするものである。
【００１３】
【課題を解決するための手段】
この発明に係る放電灯点灯装置は、放電灯を点灯させる点灯パルスを発生させ点灯パルスを放電灯に印加するパルス発生回路と、
パルス発生回路が放電灯に印加する点灯パルスのパルス発生頻度を制御する制御回路と
を備え、
上記制御回路は、過去において、放電灯が点灯した場合のパルス発生頻度を記憶し、記憶したパルス発生頻度を用いてパルス発生回路の点灯パルスの発生を制御することを特徴とする。
【００１４】
上記放電灯点灯装置は、更に、所定の周期で放電灯を駆動するインバータ回路を備え、
上記制御回路は、上記インバータ回路の用いている所定の周期の半周期内で点灯パルスの発生間隔が均等になるようにパルス発生回路の点灯パルスの発生を制御することを特徴とする。
【００１５】
上記放電灯点灯装置は、更に、放電灯が点灯したことを検出する点灯検出回路を備え、
上記制御回路は、
パルス発生頻度を記憶する点灯時パルス発生頻度メモリと、
パルス発生頻度を入力し、入力したパルス発生頻度から徐々にそれ以上のパルス発生頻度となるようにパルス発生数を増加させるパルス発生回路駆動信号を発生させ、パルス発生回路駆動信号をパルス発生回路へ供給するパルス発生数制御部と、
放電灯の点灯を開始する場合に、上記点灯時パルス発生頻度メモリに記憶されたパルス発生頻度を入力し、パルス発生数制御部に出力するとともに、点灯検出回路が放電灯の点灯を検出した場合に、放電灯の点灯時にパルス発生数制御部が用いていたパルス発生頻度を点灯時パルス発生頻度メモリに記憶させる頻度設定部と
を備えたことを特徴とする。
【００１６】
上記制御回路は、更に、点灯時パルス発生頻度メモリに記憶されたパルス発生頻度をリセットするリセットスイッチを備えたことを特徴とする。
【００１７】
上記頻度設定部は、放電灯が所定の期間内に点灯した場合に、点灯時パルス発生頻度メモリに記憶させる上記パルス発生頻度の値を小さくすることを特徴とする。
【００１８】
【発明の実施の形態】
図１は、この実施の形態に係る高圧放電灯点灯装置１００を示す図である。
点灯装置１００は、商用電源５１に接続されて動作する。点灯装置１００は、アクティブフィルタ５３、限流回路５４、インバータ回路５５、コンデンサ５６、点灯検出回路５９、制御回路６１、パルス発生回路９１を備えている。アクティブフィルタ５３は、整流機能を有している。アクティブフィルタ５３は、商用電源５１から供給される交流を直流に変換する。限流回路５４は、インバータ回路５５に供給する電力を制限する。インバータ回路５５は、放電灯５７に矩形波電力を供給する。インバータ回路５５は、一定の周波数で動作し、放電灯５７をその周波数に基づいて駆動するものである。放電灯５７は、例えば、高輝度放電ランプ等の高圧放電灯である。点灯検出回路５９は、限流回路５４とインバータ回路５５の間に設けられている。点灯検出回路５９は、放電灯５７が点灯したことを検出し、点灯検出信号７７を用いて制御回路６１に点灯を知らせる回路である。制御回路６１は、点灯装置１００全体を制御する回路である。制御回路６１は、アクティブフィルタ駆動信号７３を用いてアクティブフィルタ５３を制御する。また、制御回路６１は、限流回路駆動信号７４を用いて限流回路５４を制御する。また、制御回路６１は、インバータ駆動信号７５を用いてインバータ回路５５を制御する。更に、制御回路６１は、パルス発生回路駆動信号７６を用いてパルス発生回路９１を制御する。
【００１９】
パルス発生回路９１は、電源がオンされた場合に、放電灯５７を始動させるための高圧パルスを発生する回路である。パルス発生回路９１は、トランス９２とダイオード９５と抵抗９６とコンデンサ９７と電界効果トランジスタ（ＦＥＴ）９８から構成されている。トランス９２には、一次巻線９３と二次巻線９４がある。アクティブフィルタ５３で生成された直流は、ダイオード９５と抵抗９６を介してコンデンサ９７に流れ込み、コンデンサ９７の容量が満たされるまで、コンデンサ９７に電力が蓄えられる。制御回路６１から出力されたパルス発生回路駆動信号７６は、電界効果トランジスタ９８のゲートＧに印加される。電界効果トランジスタ９８のゲートＧにパルス発生回路駆動信号７６が印加されると電界効果トランジスタ９８がオンし、ソースＳとドレインＤの間に電流が流れる。即ち、電界効果トランジスタ９８がオンすることにより、コンデンサ９７と電界効果トランジスタ９８と一次巻線９３により閉ループが構成され、コンデンサ９７に溜められた電力が一次巻線９３に流れることになる。一次巻線９３に流れた電流により、トランス９２の二次巻線９４に昇圧された電流が流れる。これにより、パルス電圧が発生し、コンデンサ５６と放電灯５７と二次巻線９４の閉ループにより放電灯５７に高圧のパルスが印加される。こうして、放電灯５７にグロー放電を行わせる。以上の動作を繰り返し行うことにより、パルス発生回路９１により高圧パルスを連続的に発生させ、放電灯５７をグロー放電からアーク放電に移行させる。こうして、放電灯５７が点灯する。パルス発生回路９１のパルス発生頻度は、パルス発生回路駆動信号７６の発生頻度による。即ち、制御回路６１は、パルス発生回路９１のパルス発生頻度を制御している。
【００２０】
次に、図２を用いて制御回路６１について説明する。
制御回路６１は、頻度設定部６３とパルス発生数制御部６４と点灯時パルス発生頻度メモリ６５とリセットスイッチ６６を有している。制御回路６１は、その他にも点灯装置１００の他の回路を制御する回路を有しているが、ここでは特に図示していない。
頻度設定部６３は、２つの役割を持っている。第１の役割は、放電灯５７が点灯した場合に、点灯検出回路５９から点灯検出信号７７を入力し、放電灯５７が点灯した場合に、パルス発生数制御部６４が用いていたパルス発生頻度を取得し、点灯時パルス発生頻度メモリ６５に記憶させることである。第２の役割は、電源がオンになったとき、点灯時パルス発生頻度メモリ６５に記憶してあるパルス発生頻度をパルス発生数制御部６４に出力することである。
パルス発生数制御部６４は、電源がオンされた場合に、頻度設定部６３を介して点灯時パルス発生頻度メモリ６５に記憶してあるパルス発生頻度を頻度設定部６３を介して入力し、そのパルス発生頻度を初期値としてパルス発生回路駆動信号７６を発生させる。その後、徐々にパルス発生頻度を上昇させていく。また、パルス発生数制御部６４は、点灯検出信号７７を入力することにより、パルス発生回路駆動信号７６の出力を止める。パルス発生数制御部６４の中には、パルス数カウンタ６７が設けられている。パルス数カウンタ６７は、電源オンされてから、パルス発生数制御部６４がパルス発生回路駆動信号７６を何回発生したかをカウントするカウンタである。パルス数カウンタ６７は、レジスタやランダムアクセスメモリ等の揮発性メモリで構成されている。
点灯時パルス発生頻度メモリ６５は、頻度設定部６３により放電灯５７が点灯したときのパルス発生頻度を記憶しておくメモリである。電源がオフされた場合でも、記憶した値を消失させない不揮発性メモリでなければならない。
リセットスイッチ６６は、点灯時パルス発生頻度メモリ６５に設定された値をクリアしたり、或いは、所定の値にリセットするスイッチである。リセットスイッチ６６は、例えば、ディップスイッチやオン、オフボタン等により実現することができる。
【００２１】
図３は、パルス発生回路９１が放電灯５７に印加するパルスの時間的変化を示す図である。
図３の（ａ）は、放電灯点灯回路１００が設置されてから最初の、又は、リセットスイッチ６６によりリセットされてから最初の、第１回目の電源オンの場合を示している。図３の（ｂ）は、第２回目の電源オンの場合を示している。図の左から右にかけて時間が過ぎていくものとする。また、Ｔは、インバータ回路５５が動作する所定の周期の１／２周期（半周期）を示している。ここでは、リセットスイッチ６６により、点灯時パルス発生頻度メモリ６５には、予め半周期に３パルスを発生させることが設定されているものとする。電源オンのとき、頻度設定部６３は、点灯時パルス発生頻度メモリ６５からパルス発生頻度＝３を入力し、パルス発生数制御部６４に出力する。頻度設定部６３は、このパルス発生頻度＝３を入力し、半周期に３パルスのパルスを発生させる。制御回路６１のパルス発生数制御部６４は、放電灯５７が始動点灯するまで、半周期に発生するパルスの数を３パルス、４パルス、５パルスと徐々に増加させていく。図３の（ａ）の場合は、半周期に５パルスの高圧パルスを発生した場合に、放電灯５７が始動点灯した場合を示している。点灯検出回路５９は、この時点で点灯検出信号７７を発生させる。そして、頻度設定部６３は、この点灯検出信号７７を入力することにより、半周期に５パルスの頻度で高圧パルスを発生していたことを点灯時パルス発生頻度メモリ６５に記憶する。
頻度設定部６３が点灯時パルス発生頻度メモリ６５にパルス発生頻度＝５を記憶させるとともに、パルス発生数制御部６４は、点灯検出信号７７を入力することにより、パルス発生回路駆動信号７６の出力を止める。その後は、放電灯５７は、インバータ回路５５により駆動され、連続点灯される。
一旦、点灯装置１００が消灯されて、第２回目の点灯が行われる場合は、点灯時パルス発生頻度メモリ６５に記憶されたパルス発生頻度数＝５が頻度設定部６３により入力され、パルス発生数制御部６４に出力される。こうして、図３の（ｂ）に示すように、初期の段階から半周期に５パルスの高圧パルスが放電灯５７に供給される。第１回目が時刻Ｔ１において放電灯５７が始動したのに対し、第２回目は時刻Ｔ２（Ｔ１＞Ｔ２）において放電灯５７が始動する。従って、放電灯５７は、第２回目以降は迅速に点灯することになる。図３の（ａ）に示すように、半周期Ｔに３パルス、４パルスを印加していたときは、パルスのエネルギーが足りず、放電灯５７が点灯しない状態が続いている。この高圧パルスを長い時間印加すると、放電灯５７の電極の劣化やパルス発生回路９１の各部品の故障屋劣化の原因となる可能性がある。しかし、この実施の形態によれば、第２回目以降からは放電灯５７が迅速、かつ、短時間で点灯するため、放電灯５７の電極やパルス発生回路９１にダメージを与えることがない。
また、図３の（ａ）に示した時刻Ｔ１は、放電灯５７の外形や封入物質の組成や点灯時間等のバラツキにより各高圧放電灯によりまちまちである。また、高圧放電灯の型・種類・タイプによりまちまちである。例えば、ある放電灯は、４パルスで点灯するかもしれないし、ある別な放電灯は６パルスで点灯するかもしれない。このように、放電灯の特性がまちまちであっても、第２回目からは、その放電灯が点灯したパルス頻度を用いて始動を開始させるため、各放電灯のバラツキがあるにもかかわらず、その放電灯に適合した迅速な点灯が行える。
また、放電灯５７が寿命になり交換されたり、故障して交換されたりした場合は、リセットスイッチ６６を用いて点灯時パルス発生頻度メモリ６５に新たな値を設定すればよい。リセットスイッチ６６は、単に点灯時パルス発生頻度メモリ６５の値を０にするものであっても構わないし、ある特定の値を設定できるものであっても構わない。
【００２２】
図４は、制御回路６１の電源オンから始動完了までの動作を示すフローチャートである。
図４は、大きく分けて点灯前の動作（Ｓ８０〜Ｓ８５）と、点灯直後の動作（Ｓ８６〜Ｓ８８）に分けられる。点灯装置１００に電源が投入されると、頻度設定部６３は、点灯時パルス発生頻度メモリ６５から前回点灯したときのパルス数を取り出し、パルス発生数制御部６４に出力する。パルス発生数制御部６４は、Ｓ８０において、設定されたパルス発生頻度に等しいパルス数を発生させるために、パルス発生回路駆動信号７６をパルス発生回路９１に出力する。このようにして、放電灯５７に高圧パルスが印加される。
次に、Ｓ８２において、パルス数カウンタ６７がパルス発生回路駆動信号７６が出力されたことをカウントする。パルス発生回路駆動信号７６が一度出力される度、即ち、高圧パルスが一度発生される度に、パルス数カウンタ６７が１ずつ増加される。
次に、Ｓ８３において、パルス発生数制御部６４は、点灯検出回路５９から点灯検出信号７７が出力されたかどうかをチェックする。まだ、放電灯５７が点灯していない場合は、Ｓ８４において、印加したパルス数が２５０回を越えたかどうかを比較する。パルスの印加数が２５０回未満の場合には、Ｓ８２とＳ８３の処理を繰り返す。２５０回以上の印加が行われても、まだ放電灯５７が点灯しない場合は、Ｓ８５において、パルス数を１増加させる。即ち、パルス発生頻度を増す。そして、再びＳ８１〜Ｓ８４の動作を繰り返す。Ｓ８３において、放電灯５７が点灯したことが検出された場合は、頻度設定部６３がパルス数カウンタ６７から電源オンになってから放電灯５７が点灯するまでに印加したパルス数が所定の回数、例えば、２０パルス以下であるかどうかを比較する。もし、電源オンになってから２０パルス以内で放電灯５７が点灯した場合には、瞬時点灯がなされたものと見なす。瞬時点灯がなされた場合には、Ｓ８７において、始動パルス数から１を引いて点灯時パルス発生頻度として点灯時パルス発生頻度メモリ６５に記憶する。瞬時点灯の場合には、放電灯５７に与えるエネルギーが多すぎることが考えられるため、Ｓ８７において、始動パルス数を減少させ、次回の点灯時に放電灯５７に与えるパルスのエネルギーを減少させ、放電灯５７の電極の劣化やパルス発生回路９１の部品の劣化を防止する。
一方、Ｓ８６において、瞬時点灯でないと判断された場合は、Ｓ８８において、そのときの半周期当たりの始動時パルス数を点灯時パルス発生頻度メモリ６５に記憶する。
このようにして、放電灯５７の始動が完了する。
【００２３】
次に、図５を用いてパルス発生数制御部６４のパルス発生回路駆動信号７６の発生タイミングについて説明する。
図５は、コンデンサ９７に電力が溜まる信号波形とパルス発生回路駆動信号７６の発生タイミングを示している。また、放電灯５７へ印加される高圧パルスのタイミングを示している。
パルス発生回路駆動信号７６は、半周期内でのパルス発生間隔が均等になるように、パルス発生数制御部６４から出力される。即ち、半周期に３パルス発生される場合には、図５に示すように、パルス間の間隔はＷ１であり、等しい。また、ここでは、両側の間隔Ｓ１は、Ｗ１／２とする。こうすることにより、パルス発生数制御部６４がパルスを発生させるタイミングは、計算して求めることができる。以下、半周期に３パルス発生させる場合と、半周期に４パルス発生させる場合と、半周期に５パルス発生させる場合の計算式を示す。
0003930220.tif 000002
【００２４】
以上の計算式を一般化すると、半周期ＴにＰパルス発生させたい場合、パルス間隔Ｗ＝両端間隔Ｓ×２とすると、パルス間隔Ｗと両端間隔Ｓは、以下のようになる。
半周期ＴにＰパルスのとき、
パルス間隔Ｗ＝Ｔ／Ｐ
両端間隔Ｓ＝Ｔ／（Ｐ＊２）
【００２５】
このように、パルスを均等に発生させるのは、パルスのエネルギーを放電灯５７に対して均等に与えることによりグロー放電を速やかにアーク放電に移行させるためである。また、高圧パルスのエネルギーが短時間に偏って放電灯５７の電極やパルス発生回路９１の部品に印加されてしまい、ダメージを与えないようにするためである。
なお、パルス間隔Ｗ＝両端間隔Ｓ×２としたが、両端間隔Ｓはパルス間隔Ｗの一定割合でもよいし、パルス間隔Ｗに依存しない一定値でもよい。
【００２６】
図２に示した制御回路６１の構成は一例であり、その他にも同様の機能を持った構成が考えられる。例えば、制御回路６１の機能をハードウェアで構成してもよいし、ソフトウェアで構成してもよいし、それらの組み合わせで構成してもよい。
また、マイクロプロセッサやセントラルプロセッシングユニットとマイクロプログラムやファームウェアとを用いて制御回路６１の機能を実現するようにしても構わない。
また、点灯時パルス発生頻度メモリ６５に記憶するパルス発生頻度として半周期に発生させるパルス数を用いる場合を説明したが、パルス数ではなく、パルス間隔やパルス率等のその他のパルス発生頻度を記憶させるようにしても構わない。
【００２７】
以上のように、この実施の形態においては、アクティブフィルタ５３、限流回路５４等の直流変換回路で発生した直流電圧をインバータ回路５５を介して負荷の放電灯５７に供給する高圧放電灯点灯装置において、この放電灯５７に始動パルスを印加するパルス発生回路９１とこのパルス発生回路９１の発生するパルスを制御する制御回路６１とを備え、前記制御回路６１は、インバータ回路５５の一定周期に発生するパルスの発生個数を頻度設定部６３からの信号で制御できるパルス発生数制御部６４を備え、頻度設定部６３は、放電灯５７の点灯を検知する点灯検出回路５９からの信号を受けてランプ点灯を検知する検知機能を備え、次回点灯時からは前回放電灯５７が点灯したと検知した時点での印加パルス数から印加を始めることを特徴とする。
【００２８】
以上のように、この実施の形態によれば、高圧放電灯の始動において、高圧放電灯の種類毎に、或いは、個々の高圧放電灯毎に始動パルス数が異なっていても、１回目の始動パルス数を記憶し、２回目からそのパルス数で始動させるので、個々のランプの始動可能パルスを２回目点灯の最初から印加でき、電極ダメージを軽減できる。
【００２９】
【発明の効果】
以上のように、この発明によれば、個々の放電灯によって違う始動可能なパルス頻度を用いて、次回点灯の最初からパルスを印加することによって、迅速、かつ、放電灯の電極や点灯回路にダメージを与えずに、放電灯を始動させることができる。
【図面の簡単な説明】
【図１】  点灯装置１００を示す図である。
【図２】  制御回路６１を示す図である。
【図３】  第１回目と第２回目の印加されるパルスを示す図である。
【図４】  制御回路６１の電源投入から始動完了までの動作である。
【図５】  制御回路６１のパルス発生数制御部６４のパルス発生回路駆動信号７６の発生タイミングを示す図である。
【図６】  従来の放電灯点灯装置を示す図である。
【図７】  従来のパルスの発生状態を示す波形図である。
【符号の説明】
５１  商用電源、５３  アクティブフィルタ、５４  限流回路、５５  インバータ回路、５６  コンデンサ、５７  放電灯、５９  点灯検出回路、６１  制御回路、６３  頻度設定部、６４  パルス発生数制御部、６５  点灯時パルス発生頻度メモリ、６６  リセットスイッチ、６７  パルス数カウンタ、７３  アクティブフィルタ駆動信号、７４  限流回路駆動信号、７５  インバータ駆動信号、７６  パルス発生回路駆動信号、７７  点灯検出信号、７８  全印加回数、９１パルス発生回路、９２  トランス、９３  一次巻線、９４  二次巻線、９５  ダイオード、９６  抵抗、９７  コンデンサ、９８  電界効果トランジスタ、１００  点灯装置。
【図１】
0003930220.tif 000003
【図２】
0003930220.tif 000004
【図３】
0003930220.tif 000005
【図４】
0003930220.tif 000006
【図５】
0003930220.tif 000007
【図６】
0003930220.tif 000008
【図７】
0003930220.tif 000009